(57)【要約】【課題】  以前にも増して豊富なアプリケーションを搭載した携帯型の機器を提供すること。【解決手段】  ２つの撮像素子と２つの撮像素子それぞれに被写体像を結像する２つの撮影光学系１０ａ，１０ｂとを両側部１ａ，１ｂそれぞれに配備する。両側部１ａ，１ｂ各々を、中央を軸にして前記一方の側部１ａの片面と前記他方の側部１ｂの片面とが略同一の平面になるように展開した状態で、２つの撮影光学系１０ａ，１０ｂそれぞれで同一の被写体Ｐを左右の視線に対応する相互に異なる方向から捉えて立体撮影を行なう。【選択図】図２
2005266023.tif 000002
【特許請求の範囲】
【請求項１】
中央を軸にして両側部が折り畳み自在な機器であって、収納時には一方の側部の片面と他方の側部の片面とが重なるように折り畳まれて、使用時には収納時に重なるように折り畳まれていた両側部各々が中央を軸にして扇のように展開されて使用される機器において、
この機器は、２つの撮像素子と該２つの撮像素子それぞれに被写体像を結像する２つの撮影光学系とを備え、該２つの撮像素子各々と該２つの撮影光学系各々とが前記両側部の各々に設けられたものであって、
両側部各々が中央を軸にして前記一方の側部の片面と前記他方の側部の片面とが略同一の平面になるように展開された状態で、前記２つの撮影光学系それぞれで同一の被写体を左右の視線に対応する相互に異なる方向から捉えて立体撮影を行なうものであることを特徴とする機器。
【請求項２】
この機器は、さらに、前記２つの撮影光学系のうち、左の視線に対応する左眼用撮影光学系が配設された側の背面側に左眼用表示画面を備えるとともに、右の視線に対応する右眼用撮影光学系が配設された側の背面側に右眼用表示画面を備え、
前記左眼用撮影光学系で前記２つの固体撮像素子のうちの一方に結像させた被写体像を前記左眼用表示画面に表示するとともに、前記右眼用撮影光学系で前記２つの固体撮像素子のうちの他方に結像させた被写体像を前記右眼用表示画面に表示するものであることを特徴とする請求項１記載の携帯機器。
【請求項３】
さらにこの機器は、双方の撮影光学系が相互に隣接する被写体を個別に捉えるように両側部をさらに展開することによってパノラマ撮影を行なうものであることを特徴とする請求項１記載の携帯機器。
【請求項４】
この機器には携帯電話装置が搭載されたものであることを特徴とする請求項１記載の機器。
【発明の詳細な説明】
【技術分野】
【０００１】
中央を軸にして両側部が折り畳み自在な機器であって、収納時には一方の側部の片面と他方の側部の片面とが重なるように折り畳まれて、使用時には収納時に重なるように折り畳まれていた両側部各々が中央を軸にして扇のように展開されて使用される機器に関する。
【背景技術】
【０００２】
機器の中には小型で軽くて携帯するのに便利な携帯機器がある。そのようなものの中にはデジタルカメラや携帯電話機といった携帯機器があり、最近ではこのような携帯機器に、カメラや電話などの本来の機能以外の機能例えばＧＰＳ機能などのアプリケーションを搭載してその携帯機器の価値を高めているものが多い。このようなアプリケーションが搭載された携帯機器を１つ持っていれば、撮影からナビゲーションまで様々な機能を活用することができて非常に便利である。
【０００３】
また、本来の機能以外の機能がアプリケーションとして搭載された機器の中には、双眼鏡のような携帯機器（例えば特許文献１〜５参照）もある。この特許文献１〜５に示すものでは、本来の双眼鏡の機能に加えて通常撮影から立体撮影までのカメラ機能が配備された双眼鏡が提案されている。
【０００４】
ところで、携帯機器には中央を軸にして両側部が折り畳み自在であって、収納時には一方の側部の片面と他方の側部の片面とが重なるように折り畳まれて、使用時には収納時に重なるように折り畳まれていた両側部各々が中央を軸にして扇のように展開されて使用されるものがある。この携帯機器の代表例である携帯電話装置にあってはこの折り畳み自在なものが爆発的に普及している。この携帯電話装置にもカメラ機能などのアプリケーションが搭載されているが、立体撮影やパノラマ撮影といったアプリケーションが搭載されるまでには至っていない。
【特許文献１】特開平１１−６４７４０号公報
【特許文献２】特開平１１−６４７４１号公報
【特許文献３】特開平１１−６４７４２号公報
【特許文献４】特開平１１−６４７４３号公報
【特許文献５】特開平１１−１１２８５１号公報
【発明の開示】
【発明が解決しようとする課題】
【０００５】
本発明は、上記事情に鑑み、以前にも増して豊富なアプリケーションを搭載した携帯型の機器を提供することを眼的とする。
【課題を解決するための手段】
【０００６】
上記眼的を達成する本発明の機器は、中央を軸にして両側部が折り畳み自在な機器であって、収納時には一方の側部の片面と他方の側部の片面とが重なるように折り畳まれて、使用時には収納時に重なるように折り畳まれていた両側部各々が中央を軸にして扇のように展開されて使用される機器であって、
この機器は、２つの撮像素子と該２つの撮像素子それぞれに被写体像を結像する２つの撮影光学系とを備え、その２つの撮像素子各々と該２つの撮影光学系各々とが上記両側部の各々に設けられたものであって、
両側部各々が中央を軸にして上記一方の側部の片面と上記他方の側部の片面とが略同一の平面になるように展開された状態で、上記２つの撮影光学系それぞれで同一の被写体を左右の視線に対応する相互に異なる方向から捉えて立体撮影を行なうものであることを特徴とする。
【０００７】
上記本発明の機器のように、中央を軸として折り畳み自在な上記両側部に上記撮影光学系をそれぞれ配備すると、上記両側部が展開された状態で、両側部の、上記２つの撮影光学系それぞれで同一の被写体を左右の視線に対応する相互に異なる方向から捉えて立体撮影を行なうことも、いままのでように通常の撮影を行なうこともできる。そうするといままでの携帯機器のアプリケーションに新たなアプリケーションが追加され、いままでにも増して豊富なアプリケーションが搭載された機器が実現される。
【０００８】
また、この機器は、さらに、上記２つの撮影光学系のうち、左の視線に対応する左眼用撮影光学系が配設された側の背面側に左眼用表示画面を備えるとともに、右の視線に対応する右眼用撮影光学系が配設された側の背面側に右眼用表示画面を備え、
上記左眼用撮影光学系で前記２つの固体撮像素子のうちの一方に結像させた被写体像を上記左眼用表示画面に表示するとともに、上記右眼用撮影光学系で前記２つの固体撮像素子のうちの他方に結像させた被写体像を上記右眼用表示画面に表示するものであることが好ましい。
【０００９】
そうすると、右眼用表示画面に人の右眼が捉えた被写体が表示され、左眼用表示画面に人の左眼が捉えた被写体が表示される。双方の表示画面を左右それぞれの眼で視認することができれば立体画像として認識され、左右それぞれの眼で視認することができなくても違った角度から同一の被写体を撮影した画像がそれぞれ表示される。
【００１０】
ここで、さらにこの機器は、双方の撮影光学系が相互に隣接する被写体を個別に捉えるように両側部をさらに展開することによってパノラマ撮影を行なうものであることが好ましい。
【００１１】
そうすると、この機器一台持っていれば立体撮影もパノラマ撮影も行なうことができる。
【００１２】
また、この機器には携帯電話装置が搭載されたものであることが好ましい。
【００１３】
前述したように中央を軸として折り畳み自在な機器として最も代表的なものにカメラ付き携帯電話装置があるが、このカメラ付き携帯電話装置が爆発的に普及しており、そのカメラ付き携帯電話装置の新アプリケーションとして立体撮影やパノラマ撮影を配備すると、カメラ付き携帯電話装置の新たなニーズの獲得が期待される。
【発明の効果】
【００１４】
以上、説明したように、以前にも増して豊富なアプリケーションを搭載した携帯型の機器が実現される。
【発明を実施するための最良の形態】
【００１５】
以下図面を参照して本発明の実施の形態を説明する。
【００１６】
本発明の実施形態である機器の一例としてデジタルカメラを例に掲げて以下説明する。
【００１７】
図１は、そのデジタルカメラ１の外観を示す図である。
【００１８】
図１に示すデジタルカメラ１は中央を軸にして両側部１ａ，１ｂが折り畳み自在な機器であって、収納時には一方の側部１ａの片面と他方の側部１ｂの片面とが重なるように折り畳まれて（図１（ａ）参照）、使用時には収納時に重なるように折り畳まれていた両側部各々１ａ，１ｂが中央を軸にして扇のように展開されて使用されるものである（図１（ｂ）、（ｃ）参照）。
【００１９】
図１（ａ）に示すように、このデジタルカメラ１の両側部１ａ，１ｂが折り畳まれたときの、両側部１ａ，１ｂの表面に撮影光学系の中の対物レンズ１０ａ，１０ｂ（図１（ｂ）参照）がそれぞれ配設されており、図１（ｂ）に示すように両側部１ａ，１ｂが展開されると、それらの撮影レンズ１０ａ，１０ｂが同じ側に位置するように展開される。図１（ｃ）に示すようにそれらの対物レンズ１０ａ，１０ｂが紙面裏側にくるようにして、紙面表側から裏側に向かってこのデジタルカメラ１を構えて撮影を行なう。
【００２０】
図１（ｂ）の右側に位置しているのが本発明にいう左眼用撮影光学系を構成する対物レンズ１０ａであり、図１（ｂ）の左側にあるのが本発明にいう右眼用撮影光学系を構成する対物レンズ１０ｂである。また、図１（ｃ）に示すように、その対物レンズ１０ｂを含む右眼用撮影光学系で捉えた被写体を表示する表示画面１１ｂが本発明にいう右眼用表示画面であり、左眼用撮影光学系で捉えた被写体を表示する表示画面１１ａが本発明にいう左眼用表示画面である。また、この例では図１（ｃ）に示すように構えたときに右上部にレリーズボタン１２がくるようにレリーズボタン１２が配設されている。
【００２１】
図２は、このデジタルカメラで立体撮影を行なうときの概念図である。図２（ａ）にはデジタルカメラを上方から見た図が、図２（ｂ）には側方から見た図がそれぞれ示されている。
【００２２】
図２（ａ）に示すように、このデジタルカメラ１は、両側部各々１ａ，１ｂが中央を軸にして一方の側部１０ａの片面と他方の側部１０ｂの片面とが略同一の平面になるように展開された状態で、２つの撮影光学系それぞれで同一の被写体Ｐを左右の視線に対応する相互に異なる方向から捉えて立体撮影を行なうものである。このようにもともと撮影光学系の光軸が左右の視線に対応するように構成されているため、人間の左右の眼と同じようにそれぞれの撮影光学系が作用する。なお、いずれかの撮影光学系を用いることによって、立体撮影ではなく通常撮影を行なうこともできる。
【００２３】
このデジタルカメラ１では、図２（ａ）に示すように同一の被写体Ｐを左右の視線に対応する相互に異なる方向から捉えて立体撮影が行なわれると、左右の撮影光学系で捉えた同一の被写体を表す画像データが後述する２つの固体撮像素子それぞれで生成される。その２つの撮像素子それぞれで生成された画像データに基づく画像がそれぞれ右眼用表示画面、左眼用表示画面に別々に表示され、立体撮影を行なうだけでなく、それらの左右の眼に代わる撮影光学系で捉えたそれぞれの画像が個別に表示画面上に表示され、見方によっては立体画像になるように立体視されるようにもなっている。
【００２４】
この例では、この左眼用撮影光学系で２つの固体撮像素子のうちの一方に結像させた被写体像を左眼用表示画面に表示するとともに、右眼用撮影光学系で２つの固体撮像素子のうちの他方に結像させた被写体像を右眼用表示画面に表示している。中央に仕切り板を設ければ確実であるが、双方の表示画面に眼を近づけて各々の眼で左眼用表示画面と右眼用表示画面とをそれぞれ別々に視認することができれば２つの被写体像が双方の眼で別々に視認されて立体画像になる。
【００２５】
ここで、このデジタルカメラの内部構成を、図３を参照して説明する。
【００２６】
図３は、デジタルカメラの内部構成を示す構成ブロック図である。
【００２７】
図１、図２に示したようにこのデジタルカメラは撮影光学系１１０ａ，１１０ｂを２つ備えており、それぞれの撮影光学系で同一の被写体を捉えることができるように光軸が調整されている。これらの撮影光学系１１０ａ，１１０ｂで同一の被写体を捉えると２つの撮像素子のうち左眼用撮像素子１１３ａ上に左眼の視線で見た被写体像が結像され、右眼用撮像素子１１３ｂ上に右眼の視線で見た被写体像が結像される。
【００２８】
図３からも分かるように本実施形態のデジタルカメラ１００の動作はＣＰＵ１０２により統括的に制御される。なおＣＰＵ１０２には図示しないＲＯＭ，ＲＡＭが接続されており、ＲＯＭにはプログラムが記憶され、ＲＡＭにはプログラムにしたがって処理が行なわれるときの変数などが一時記憶される。
【００２９】
図３に示すように、左眼用撮影光学系１１０ａ、右眼用撮影光学系１１０ｂともに、複数の撮影レンズ１１１ａ，１１２ａ、１１１ｂ，１１２ｂを備えている。左眼用撮影光学系で左眼用撮像素子１１３ａ上に左視線に対応する被写体が結像されて、右眼用撮影光学駅で右眼用撮影素子１１３ｂ上に右視線に対応する被写体が結像される。
【００３０】
また、双方の撮影光学系には、撮像素子に異なる光量を与えるための２つの絞り１１４ａ，１１５ａ、１１４ｂ，１１５ｂがそれぞれ内蔵されている。双方の撮影光学系とも構成は同一であるので一方の撮影光学系１１０ａの構成を説明する。
【００３１】
右眼用撮影光学系１１０ａには撮影レンズ１１１ａ，１１２ａと固体撮像素子１１３ａが内蔵されており、その固体撮像素子１１３ａの撮影面に適量の光量を与えるための絞りも内蔵されている。この絞りには相対的に大きな開口を持つ絞り１１４ａと相対的に小さな開口を持つ絞り１１５ａとがあり、相対的に大きな開口を持つ絞り１４１ａの方は光軸に固定されている。後述する信号処理部にある輝度検出回路（以下、ＡＥ検出回路という）の検出結果により被写界輝度が充分明るいと判定されたときには相対的に小さな開口を持つ絞りの方がメータ駆動部１２１により駆動されて大きな開口を持つ絞り１１４ａを覆って配設されるようになっている。
【００３２】
なお本実施形態のデジタルカメラが備える撮影光学系は複数のレンズを備えているが、ここでは複数のレンズを２つのレンズで代表させて示してあり、一方のレンズをフォーカスの調整に最も寄与するフォーカスレンズ１１２ａとして示してある。このフォーカスレンズ１１２ａを、被写体距離の無限大に対応する位置から被写体距離の至近点に対応する位置までフォーカス駆動部１２３ａにより移動させることにより合焦点が検出される。この合焦点の検出は後述する信号処理部にある合焦点検出回路（以下ＡＦ検出回路）で行なわれる。そのＡＦ検出回路で合焦点位置が探索されたら、ＣＰＵ１０２からフォーカス駆動部１２３に駆動指示が出されて、フォーカス駆動部１２３ａによって合焦点位置にフォーカスレンズ１１２ａが駆動される。また撮影光学系は焦点距離可変な撮影光学系にもなっており、ズーム倍率に応じてレンズ１１１ａとフォーカスレンズ１１２ａの相対位置をズーム駆動部１２２およびフォーカス駆動部１２３で調節して光学ズームが行なわれるようにもなっている。
【００３３】
一方、撮像素子１１３ａの方にはレリーズ操作が行なわれたときにそのレリーズ操作の操作タイミングを撮像素子１１３ａに知らせるタイミングジェネレータ１４０が接続されている。このタイミングジェネレータ１４０からの信号に基づいて、撮像素子１１３ａでは露光および露光後の画像信号の出力が行なわれる。
【００３４】
このタイミングジェネレータ１４０からのタイミング信号により出力された画像信号はＲＧＢ信号となって撮像処理部１３０ａに供給され、この撮像処理部１３０ａにある相関２重サンプリング回路（以下ＣＤＳ回路という）で雑音が低減される。ここで雑音が低減されたＲＧＢ信号が撮像処理部１３０ａからＡ／Ｄ変換部１３１ａへ導かれて、このＡ／Ｄ変換部１３１ａでアナログ信号のＲＧＢ信号からデジタル信号のＲＧＢ信号へ変換され、さらにこのＡ／Ｄ変換部１３１ａでデジタル信号に変換されたＲＧＢ信号が信号処理部１５０へと供給される。
【００３５】
信号処理部１５０には２つの絞り１１４ａ，１１５ａのうち、いずれの絞りを光軸に配置するかを決めるためのＡＥ検出回路や被写体距離を検出するためのＡＦ検出回路が配備されており、その他にＲＧＢ信号からＹＣ信号への変換を行なう映像信号処理部やメモリカード１６０に記録される画像ファイルを作成するための圧縮・解凍部なども配備されている。
【００３６】
信号処理部１５０の中のＡＥ検出回路では固体撮像素子から読み出されたＲＧＢ信号に応じた被写界輝度が検出され、同じく信号処理部の中のＡＦ検出回路ではＲＧＢ信号に応じたコントラストが検出される。ＡＥ検出回路で検出された被写界輝度情報に基づいて相対的に小さな開口の絞りか、あるいは相対的に大きな開口の絞りが光軸に配置されて露出調整が行なわれ、ＡＦ検出回路で検出されたコントラスト情報に基づいて合焦点位置にフォーカス駆動部１２３ａによりフォーカスレンズ１１２ａが駆動される。また信号処理部１５０の中の映像処理部では固体撮像素子１１３ａから読み出されたＲＧＢ信号の画像信号がＹＣ信号の画像信号に変換されて、このＹＣ信号に変換された画像信号が表示装置１７０に供給されて被写体像が表す画像の表示が行なわれる。もう１つの撮影光学系１１０ｂ側でも同様の処理が行なわれる。
【００３７】
また本実施形態のデジタルカメラ１００には２つの固体撮像素子１１３ａ，１１３ｂが配備されているので、これらの固体撮像素子１１３ａ，１１３ｂで得られた画像信号を別々に記憶するためのメモリＡ１５１ａ，メモリＢ１５１ｂが備えられている。これらのメモリに画像信号が記憶されるときには信号処理部１５０で双方の画像信号に関連付けが行なわれてからメモリＡ，メモリＢそれぞれに記憶される。そして双方のメモリに記憶された、関連のある画像信号が信号処理部内のその関連情報にしたがって信号処理部１５０に読み出されて圧縮・解凍部で圧縮されて画像ファイルとなってメモリカード１８０に記憶される。このファイルとなってメモリカード１８０に記録されたときには、双方の画像信号を結び付ける関連情報がファイルのヘッダ情報として付加されている。
【００３８】
図４は、このデジタルカメラでパノラマ撮影を行なうときのこのデジタルカメラの姿勢を示す図である。
【００３９】
また、図４に示すように姿勢になるまで双方の撮影光学系１１０ａ，１１０ｂをさらに展開して双方の撮影光学系１１０ａ，１１０ｂで相互に隣接する被写体を捉えるようにすると、パノラマ撮影を行なうことができる。このときには一方の撮影光学系で捉えられた被写体像と、他方の撮影光学系で捉えられた被写体像を後述する信号処理部で繋ぐ処理が行なわれて広い角度の範囲のパノラマ写真が得られる。
【００４０】
このようにデジタルカメラを、中央を軸にして両側部が折り畳み自在な機器に適用すると、様々なアプリケーションが得られる。
【００４１】
この中央を軸にして両側部が折り畳み自在な機器の代表的なものとしてカメラ付き携帯電話装置があり、このカメラ付き携帯電話装置に図１に示すデジタルカメラの構成を適用すると、非常に豊富なアプリケーションを搭載した携帯電話装置が実現される。
【００４２】
図５は図１のデジタルカメラ１を携帯電話装置２に適用した場合の例を示す図である。
【００４３】
図５に示すように左眼用表示画面の部分に入力装置にも出力装置にもなるタッチパネル１１ｃを設けることで、図１と同様のデジタルカメラの機能を持つカメラ付き携帯電話装置が実現される。
【００４４】
以上説明したようにパノラマ撮影、立体撮影といったアプリケーションをデジタルカメラに配備することができる。このようにすることでユーザにとっては使い勝手の良い携帯式のデジタルカメラが提供される。
【図面の簡単な説明】
【００４５】
【図１】そのデジタルカメラの外観を示す図である。
【図２】のデジタルカメラで立体撮影を行なうときの概念図である。
【図３】デジタルカメラの内部構成を示す構成ブロック図である。
【図４】このデジタルカメラでパノラマ撮影を行なうときの状況を示す図である。
【図５】このデジタルカメラを携帯電話装置に適用した場合の例を示す図である。
【符号の説明】
【００４６】
１    デジタルカメラ
１ａ  １ｂ    側部
１０ａ  １０ｂ  対物レンズ
１０１    ＣＰＵ
１１０ａ    左眼用撮影光学系
１１０ｂ    右眼用撮影光学系
１１１ａ  １１１ｂ  撮影レンズ
１１２ａ  １１２ｂ  フォーカスレンズ
１１３ａ  １１３ｂ  固体撮像素子
１１４ａ  １１４ｂ  相対的に大きな開口を持つ絞り
１１５ａ  １１５ｂ  相対的に小さな開口を持つ絞り
１２１ａ  １２１ｂ  メータ駆動部
１２２ａ  １２２ｂ  ズーム駆動部
１２３ａ  １２３ｂ  フォーカスレンズ駆動部
１３０ａ  １３０ｂ  撮像処理部
１４０    タイミングジェネレータ
１５０    信号処理部
１５１ａ    メモリＡ
１５１ｂ    メモリＢ
１６０    表示装置
１６０ａ    左眼用表示画面
１７０    表示装置
１７０ａ    右眼用表示画面
１８０    メモリカード
【図１】
2005266023.tif 000003
【図２】
2005266023.tif 000004
【図３】
2005266023.tif 000005
【図４】
2005266023.tif 000006
【図５】
2005266023.tif 000007